(57)【要約】【課題】カプセル自動販売機によるカプセルの購入および販売を、さらに促進できるようにする。【解決手段】特定カプセルを含む複数個のカプセルの中から無作為に払い出されたカプセルが特定カプセルであるか否かを検知する検知手段および特定カプセルの検知を知らせる報知手段を有したカプセル自動販売機を複数台一群にした販売機群と、この販売機群のカプセル自動販売機各々の検知手段および報知手段に接続した制御手段を備え、購入操作中のカプセル自動販売機の検知手段が特定カプセルの払い出しを検知したときには、他の全てのカプセル自動販売機の報知手段を、制御手段を介して作動させる。【選択図】図１
2007122404.tif 000002
【特許請求の範囲】
【請求項１】
購入操作に基づいて特定カプセルを含む複数個のカプセルの中から無作為に払い出されたカプセルが、特定カプセルであるか否かを検知する検知手段および特定カプセルの検知を音、光などによって知らせる報知手段を有したカプセル自動販売機を、複数台一群にした販売機群と、
この販売機群の、カプセル自動販売機各々の検知手段および報知手段に接続した制御手段と
を備え、
購入操作中のカプセル自動販売機の検知手段が、特定カプセルの払い出しを検知したときには、
制御手段を介して伝えられた検知信号により他の全てのカプセル自動販売機の報知手段が作動される、
ことを特徴とするカプセル自動販売装置。
【請求項２】
他の全てのカプセル自動販売機の内、購入操作中を除くカプセル自動販売機の報知手段が作動される、
ことを特徴とする請求項１記載のカプセル自動販売装置。
【請求項３】
制御手段が接続された販売機群を複数群備え、
販売機群それぞれに接続した制御手段が、それぞれに備えた接続端子を介して互いに接続され、
いずれかの販売機群のカプセル自動販売機の検知手段が、特定カプセルを検知したときには、そのことが複数群の販売機群それぞれの制御手段に伝えられる、
ことを特徴とする請求項１または２記載のカプセル自動販売装置。
【発明の詳細な説明】
【技術分野】
【０００１】
本発明は、商品などの入ったカプセルの自動販売機を、複数台備えたカプセル自動販売装置に関する。
【背景技術】
【０００２】
商品などの入った複数個のカプセルをケースに収容し、金銭の投入などの所定の操作を行うと、複数個のカプセルの中から無作為にカプセルが選択され、取出口に払い出されるカプセル自動販売機がある（例えば、特許文献１参照）。
【０００３】
カプセル自動販売機の他の形態においては、複数個のカプセルの中に含まれたプレミアム商品あるいはその引き換え用のタグなどの入った「特定カプセル」が選択され払い出されると、そのことを購入者に音、光などによって知らせる、例えば特願２００５−０８３３３５号（出願日：平成１７年３月２３日、発明の名称：カプセル自動販売機）の明細書および図面に開示されたものがある。
【特許文献１】特開平９−２８２５３８号公報（第１図）
【発明の開示】
【発明が解決しようとする課題】
【０００４】
上述したとおりの形態のカプセル自動販売機によるカプセルの販売においては、音、光などにより「特定カプセル」の払い出しを知らせることによって、カプセルの購入および販売を促進することができる。しかしながら、さらなる促進手段の開発が望まれている。
【０００５】
本発明は上記事実に鑑みてなされたもので、その技術的課題は、カプセル自動販売機によるカプセルの購入および販売をさらに促進させることができる、カプセル自動販売装置を提供することである。
【課題を解決するための手段】
【０００６】
本発明によれば上記技術的課題を解決するカプセル自動販売装置として、購入操作に基づいて特定カプセルを含む複数個のカプセルの中から無作為に払い出されたカプセルが、特定カプセルであるか否かを検知する検知手段および特定カプセルの検知を音、光などによって知らせる報知手段を有したカプセル自動販売機を、複数台一群にした販売機群と、この販売機群の、カプセル自動販売機各々の検知手段および報知手段に接続した制御手段とを備え、購入操作中のカプセル自動販売機の検知手段が、特定カプセルの払い出しを検知したときには、制御手段を介して伝えられた検知信号により他の全てのカプセル自動販売機の報知手段が作動される、ことを特徴とするカプセル自動販売装置が提供される。
【０００７】
好適には、他の全てのカプセル自動販売機の内、購入操作中を除くカプセル自動販売機の報知手段が作動される。また、制御手段が接続された販売機群を複数群備え、販売機群それぞれに接続した制御手段が、それぞれに備えた接続端子を介して互いに接続され、いずれかの販売機群のカプセル自動販売機の検知手段が、特定カプセルを検知したときには、そのことが複数群の販売機群それぞれの制御手段に伝えられる。
【発明の効果】
【０００８】
本発明に従って構成されたカプセル自動販売装置は、カプセル自動販売機を複数台一群にした販売機群と、この販売機群のカプセル自動販売機各々に接続した制御手段を備え、購入操作中のカプセル自動販売機の検知手段が、特定カプセルの払い出しを検知したときには、制御手段は他の全てのカプセル自動販売機にそのことを伝えそれぞれの報知手段を作動させる。
【０００９】
したがって、複数台のカプセル自動販売機の内のいずれかが特定カプセルを検知したときには、そのことを販売機群の複数のカプセル自動販売機全体によって、音、光などにより知らせるので、カプセルの購入および販売をさらに効果的に促進させることができる。
【発明を実施するための最良の形態】
【００１０】
以下、本発明に従って構成されたカプセル自動販売装置について、好適実施形態を図示している添付図面を参照して、さらに詳細に説明する。
【００１１】
図１を参照して説明する。全体を番号２で示すカプセル自動販売装置は、カプセル自動販売機Ｃを複数台（実施例においては４台）一群にした販売機群Ｇと、この販売機群Ｇの、カプセル自動販売機Ｃ各々に接続した制御手段としての制御基板Ｋを備え、販売機群Ｇは複数群（実施例においては３群）備えられている。販売機群Ｇそれぞれに接続した制御基板Ｋは、それぞれに備えた接続端子Ｔを介して接続されている。
【００１２】
図１においては、識別のために、３群の販売機群ＧはＧ１〜Ｇ３で、それぞれに接続した制御基板ＫはＫ１〜Ｋ３で、また販売機群Ｇ１〜Ｇ３それぞれのカプセル自動販売機Ｃは例えば販売機群Ｇ１においてはＣ１Ａ〜Ｃ１Ｄのように示されている。
【００１３】
先ずカプセル自動販売機Ｃについて図２を参照して説明する。このカプセル自動販売機Ｃそのものは周知のものである。したがってその詳細についての説明は省略する。
【００１４】
カプセル自動販売機Ｃは、カプセルＰを複数個収容する透明なアクリル板によって囲まれたケース１０と、ケース１０の底部に回動可能に設置され、ケース１０内のカプセルＰを無作為に受け入れる複数個（４個）の受入口１２ａを有した回転体１２と、回転体１２の回動手段および回転体１２の回動により選択された受入口１２ａのカプセルを取出口１４に送る搬送路１６を有した基台１８を備えている。
【００１５】
基台１８の正面のパネル２０には、取出口１４とともに、金銭投入口２２、スタートボタン２４などが備えられている。
【００１６】
そして、購入操作に基づいて「特定カプセル」を含む商品などの入った複数個のカプセルＰの中から無作為に払い出されたカプセルＰが「特定カプセル」であるか否かの検知手段である検知センサー４と、「特定カプセル」の検知を報知する報知手段であるスピーカー６および点滅ランプ８を備えている。
【００１７】
スピーカー６は正面のパネル２０に、点滅ランプ８はケース１０の上面のカプセル投入用の開閉蓋２６に、それぞれ取り付けられている。
【００１８】
検知センサー４は、基台１８の搬送路１６の途中に備えられており、例えば、電磁波を発信して「特定カプセル」の場合にはそれに入ったアンテナに反応して共振し「特定カプセル」であることを検知する。
【００１９】
検知センサー４により「特定カプセル」が検知されると、検知信号に基づいて基台１８に備えた制御器２８を介しスピーカー６および点滅ランプ８が所定の時間（例えば１０秒間）作動される。
【００２０】
図２とともに図１を参照して説明を続ける。販売機群Ｇの複数台のカプセル自動販売機Ｃ各々に接続する制御基板Ｋは、カプセル自動販売機Ｃそれぞれの制御器２８を通して、それぞれの検知センサー４、スピーカー６、および点滅ランプ８に接続している。
【００２１】
制御基板Ｋは、購入操作中のカプセル自動販売機Ｃの検知センサー４が「特定カプセル」の払い出しを検知したときには、他の、購入操作中を除く全てのカプセル自動販売機Ｃの制御器２８にそのことを伝えそれぞれのスピーカー６および点滅ランプ８を作動させる。
【００２２】
カプセル自動販売機Ｃが購入操作中であるか否かは、カプセル自動販売機Ｃの金銭投入口２２に所定の金銭が投入され、点滅し始めたスタートボタン２４が押され（ボタン操作をしないときは所定の時間経過後自動的に）カプセルＰが払い出されるまでを、購入操作中であると、制御基板Ｋによって判定される。
【００２３】
販売機群Ｇ１、Ｇ２、Ｇ３のいずれかのカプセル自動販売機Ｃが「特定カプセル」の払い出しを検知すると、そのことが接続端子Ｔにより接続された制御基板Ｋ１、Ｋ２、Ｋ３に伝えられる。
【００２４】
図１、図２とともに図３を参照して、カプセル自動販売装置２の報知手段であるスピーカー６および点滅ランプ８の作動手順について説明する。
【００２５】
この説明においては、図１に示す複数台のカプセル自動販売機Ｃの内、Ｃ１Ｂ、Ｃ２Ｃ、Ｃ３Ａが購入操作中であり、カプセル自動販売機Ｃ１Ｂの検知センサー４によって「特定カプセル」の払い出しが検知されたとし、主として図３のフローチャートによって説明する。
【００２６】
ステップＳ１において、購入操作中のカプセル自動販売機Ｃ（Ｃ１Ｂ）の搬送路１６に払い出されたカプセルＰが、検知センサー４によって「特定カプセル」であるか否かが検知され、「特定カプセル」であるのでステップＳ２に進む。「特定カプセル」でない場合には「エンド」に進み動作は終了する。
【００２７】
ステップＳ２において、カプセル自動販売機Ｃ１Ｂの「特定カプセル」の検知信号が、全ての制御基板Ｋ１〜Ｋ３に伝えられ、ステップＳ３に進む。
【００２８】
ステップＳ３において、「特定カプセル」の検知信号が、制御基板Ｋ１、Ｋ２、Ｋ３に接続した、「特定カプセル」を検出したカプセル自動販売機Ｃ１Ｂ以外のカプセル自動販売機Ｃに伝えられる。このとき、複数のカプセル自動販売機Ｃの内、購入操作中の、例えば金銭投入口２２に所定の金銭が投入されているがカプセルＰの払い出しに至らない状態のカプセル自動販売機Ｃ（Ｃ２Ｃ、Ｃ３Ａ）への検知信号は、それぞれの操作中の信号によってキャンセルされる。
【００２９】
ステップＳ４において、検知信号が伝えられたカプセル自動販売機Ｃのスピーカー６および点滅ランプ８が作動される。作動は、所定の時間例えば１０秒経過したら停止される。「エンド」に進み動作が終了する。
【００３０】
上述したとおりのカプセル自動販売装置２の作用効果について説明する。
【００３１】
カプセル自動販売装置２は、無作為に払い出されたカプセルＰが「特定カプセル」であるか否かを検知する検知手段である検知センサー４ならびに「特定カプセル」の検知を報知する報知手段としてスピーカー６および点滅ランプ８を有したカプセル自動販売機Ｃを複数台一群にした販売機群Ｇと、この販売機群Ｇのカプセル自動販売機Ｃ各々の検知センサー４ならびにスピーカー６および点滅ランプ８に接続した制御手段としての制御基板Ｋを備え、購入操作中のカプセル自動販売機Ｃの検知センサー４が、「特定カプセル」の払い出しを検知したときには、制御基板Ｋは、他の全てのカプセル自動販売機Ｃにそのことを伝えそれぞれのスピーカー６および点滅ランプ８を作動させる。
【００３２】
したがって、複数台のカプセル自動販売機Ｃのいずれかが「特定カプセル」を検知したときにはそのことを、販売機群Ｇの複数台のカプセル自動販売機Ｃ全体が発する、音、光などによって知らせるので、カプセルＰの購入および販売をさらに効果的に促進させることができる。
【００３３】
また、カプセル自動販売装置２は、既存のカプセル自動販売機Ｃ複数台を、販売機群Ｇとして制御基板Ｋによってまとめ接続すればよいので、容易に構成することができる。
【００３４】
そして、他の全てのカプセル自動販売機Ｃの内、購入操作中を除くカプセル自動販売機Ｃの報知手段を作動させるようにすれば、他の購入操作中の購入者の操作を邪魔しない。
【００３５】
さらに、制御基板Ｋが接続された販売機群Ｇを複数群備えて、販売機群Ｇそれぞれに接続した制御基板Ｋを接続端子Ｔにより接続し、いずれかの販売機群Ｇのカプセル自動販売機Ｃの検知センサー４が「特定カプセル」を検知したときに、そのことを複数群の販売機群Ｇそれぞれの制御基板Ｋ段に伝えるようにすることにより、カプセル自動販売機Ｃの設置台数を、設置場所の広さに応じて、また購入・販売の要求に応じて、適宜に、容易に、増減することができる。
【００３６】
以上、本発明を実施例に基づいて詳細に説明したが、本発明は上記の実施例に限定されるものではなく、例えば下記のように、本発明の範囲内においてさまざまな変形あるいは修正ができるものである。
【００３７】
本発明の実施形態においては、販売機群Ｇは４台のカプセル自動販売機Ｃを含んでいるが販売機群Ｇのカプセル自動販売機Ｃの台数は４台よりも多くても、また少なくてもよい。
【００３８】
本発明の実施形態においては、販売機群Ｇは３群接続されているが、３群以上でもまた少なくてもよい。
【００３９】
本発明の実施形態においては、購入操作中を除くカプセル自動販売機Ｃの報知手段を作動させるようにしたが、購入操作中を含め全てのカプセル自動販売機Ｃの報知手段を作動させるようにしてもよい。
【００４０】
本発明の実施形態においては、報知手段はスピーカー６および点滅ランプ８を備えているが、報知する手段であれば音、光以外の手段、たとえば振動などの手段を用いてもよい。
【図面の簡単な説明】
【００４１】
【図１】本発明に従って構成されたカプセル自動販売装置の構成説明図。
【図２】カプセル自動販売機の典型例を正面から見た斜視図。
【図３】図１に示すカプセル自動販売装置の動作手順の概要を示すフローチャート。
【符号の説明】
【００４２】
２：カプセル自動販売装置
４：検知センサー（検知手段）
６：スピーカー（報知手段）
８：点滅ランプ（報知手段）
Ｃ：カプセル自動販売機
Ｇ：販売機群
Ｋ：制御基板（制御手段）
Ｐ：カプセル
Ｔ：接続端子
【図１】
2007122404.tif 000003
【図２】
2007122404.tif 000004
【図３】
2007122404.tif 000005